(57)【要約】【課題】ズームレンズ等の画像拡大のための光学素子の数を減らすことが可能となり、しかも拡大縮小における回折計算処理の負担をより軽減できるプロジェクタ装置用のホログラムデータ作成プログラムを提供する。【解決手段】本発明の一観点に係るホログラムデータ作成プログラムは、コンピュータに、  元画像データにシフトフレネル回折計算処理を施してホログラムデータを作成させることを特徴とする。この観点によるとシフトフレネル回折計算処理によって、元画像データの拡大又は縮小を行うことができるようになる。【選択図】図１
2013120362.tif 000002
【特許請求の範囲】
【請求項１】
コンピュータに、
元画像データにシフトフレネル回折計算処理を施してホログラムデータを作成させるホログラムデータ作成プログラム。
【請求項２】
前記シフトフレネル回折計算処理によって、元画像データの拡大又は縮小を行う請求項１記載のホログラムデータ作成プログラム。
【請求項３】
前記シフトフレネル回折計算処理は、下記式のいずれかを用いて行う請求項１記載のホログラムデータ作成プログラム。
【数１】
2013120362.tif 000005
【数２】
2013120362.tif 000006
【請求項４】
前記シフトフレネル回折計算処理において、Δｘ１とΔｘ２の値を異ならせて回折計算処理を行う請求項３記載のホログラムデータ作成プログラム。
【発明の詳細な説明】
【技術分野】
【０００１】
本発明はホログラムデータ作成プログラムに関し、より好適には、空間位相変調素子を用いてホログラムを作成し、スクリーンに投影させるプロジェクタ装置に用いられるものに関する。
【背景技術】
【０００２】
空間変調素子を用いてホログラムを作成し、これに光を入射して投影画像を表示させる技術（ホログラフィックプロジェクション技術）は、無収差、高コントラスト、１枚の空間変調素子によってカラー投影を行うことができるなどの利点により今後大きく期待されている。
【０００３】
このホログラムの作成技術に関する公知の技術として、例えば下記非特許文献１には、反復フーリエアルゴリズムを用いた技術が開示されている。
【０００４】
また下記特許文献１には、変調素子とレンズとを組み合わせたプロジェクタ装置が提案されている。
【先行技術文献】
【非特許文献】
【０００５】
【非特許文献１】Ｒ．Ｗ．Ｇｅｒｃｈｂｅｒｇ  ａｎｄ  Ｗ．Ｏ．Ｓａｘｔｏｎ、“Ａ  ｐｒａｃｔｉｃａｌ  ａｌｇｏｒｉｔｈｍ  ｆｏｒ  ｔｈｅ  ｄｅｔｅｒｍｉｎａｔｉｏｎ  ｏｆ  ｔｈｅ  ｐｈａｓｅ  ｆｒｏｍ  ｉｍａｇｅ  ａｎｄ  ｄｉｆｆｒａｃｔｉｏｎ  ｐｌａｎｅ  ｐｉｃｔｕｒｅｓ”、Ｏｐｔｉｋ  ３５、２３７−２４６（１９７２）
【特許文献】
【０００６】
【特許文献１】特開２０１０−１９７９１６号公報
【発明の概要】
【発明が解決しようとする課題】
【０００７】
しかしながら、上記特許文献１に記載のように、画像の拡大縮小を行おうとする場合、一般には、表示素子とスクリーンとの間にズームレンズ等の光学素子が必要となる。この結果、コスト増、装置の大型化を招く。また、ズームレンズを用いずに投影画像を拡大したいと考える場合、投影画像を求めるために元画像自体を大きくしなければならず、例えば画像のサイズをｍ倍に拡大する場合、計算に必要となる時間及びメモリはｍ２倍に比例して大幅に増加することとなる。
【０００８】
以上、本発明は、ズームレンズ等の画像拡大のための光学素子の数を減らすことが可能となり、しかも拡大縮小における回折計算処理の負担をより軽減できる投影画像表示装置システム用のホログラムデータ作成プログラムを提供することを目的とする。
【課題を解決するための手段】
【０００９】
本発明の一観点に係るホログラムデータ作成プログラムは、コンピュータに、元画像データにシフトフレネル回折計算処理を施してホログラムデータを作成させることを特徴とする。
【発明の効果】
【００１０】
以上、本発明によると、ズームレンズ等の画像拡大のための光学素子の数を減らすことが可能となり、しかも拡大縮小における回折計算処理の負担をより軽減できるプロジェクタ装置用のホログラムデータ作成プログラムを提供することができる。
【図面の簡単な説明】
【００１１】
【図１】実施形態にかかるプロジェクタ装置の概略を示す図である。
【図２】実施形態にかかるホログラムデータ作成プログラムの処理の概略を示す図である。
【図３】実施形態にかかるホログラムデータ作成プログラムの処理のイメージを示す図である。
【図４】実施例にかかる結果を示す図である。
【発明を実施するための最良の形態】
【００１２】
以下、本発明の実施形態について、図面を用いて説明する。ただし、本発明は多くの異なる形態による実施が可能であり、以下に示す実施形態の例にのみ限定されるわけではない。
【００１３】
図１は、本実施形態に係るホログラムデータ作成プログラム（以下「本プログラム」という。）を用いるプロジェクタ装置（以下「本装置」という。）１の概略を示す図である。
【００１４】
本図で示すように、本装置１は、表示素子２と、この表示素子２に光を入射させる光源３と、この表示素子２によって変調された光を表示させるスクリーン４と、ホログラムデータを作成し表示素子２に出力する情報処理装置５と、を有して構成されている。
【００１５】
本装置１において表示素子２は、情報処理装置５によって作成されたホログラムデータを表示するものであり、具体的には電極が形成された一対の基板と、この一対の基盤の間に挟持される液晶層と、を有し、表示素子２は位相変調を行うことのできる液晶表示装置であることが好ましい一例である。なお本実施形態では、ホログラムデータが表示された状態の表示素子２をホログラムともいう。
【００１６】
本装置１において光源３は、上記のとおり表示素子２に光を入射させるものであり、上記表示素子２による位相変調を受けやすくするためコヒーレントな光であることが好ましく、例えばレーザ光を発生させるレーザ装置であることは好ましい一例である。
【００１７】
本装置１においてスクリーン４は、上記のとおり表示素子２を透過し、位相変調を受けた光を投影することができるものである。
【００１８】
また本装置１において、情報処理装置５は、上記のとおり表示素子２にホログラムデータを出力する装置であって、より具体的には、元画像データに基づき回折計算処理を行いホログラムデータを作成することができるものである。情報処理装置５の具体的な構成としては、特に限定されるわけではないが、いわゆるパーソナルコンピュータを例示することができ、例えばパーソナルコンピュータのハードディスクやメモリ等の記録媒体にホログラムデータ作成プログラム及び必要な元画像データを格納し、これを実行することでホログラムデータを作成することができる。
【００１９】
なお本装置１において、拡大又は縮小を行うためのズームレンズは不要となっており、配置されていない。これは後述する情報処理装置５の処理から明らかであるが、ホログラムデータ作成プログラムによって拡大又は縮小された画像を作成することができるためである。つまり、表示させる投影画像の拡大を行いたい場合は情報処理装置５によって拡大された画像を作成して表示素子２に出力し、縮小を行いたい場合は情報処理装置５によって縮小された画像を作成して表示装置２に出力することで、拡大又は縮小された投影画像を表示させることができるため、ズームレンズが不要となる。
【００２０】
ここで、本装置１におけるホログラムデータ作成プログラム（以下「本プログラム」という。）の計算処理について以下説明する。図２は、本プログラムの処理の概略を示す図である。
【００２１】
本図で示すように、本プログラムは、コンピュータに元画像データにシフトフレネル回折計算処理を施してホログラムデータを作成させることを特徴のひとつとする。
【００２２】
本プログラムにおいて「元画像データ」とは、処理前の原画像データであって、いわゆる位置情報とその位置における強度情報を含む二次元の画像データをいい、「ホログラムデータ」とは、位置とその位置における位相情報又は振幅情報を含む画像データをいうが、本実施形態では説明の観点から位相情報を含むものとして説明する。
【００２３】
本プログラムは、上記のとおり、元画像データに対してシフトフレネル回折計算処理を施すことが特徴となっている。ここで「シフトフレネル回折計算処理」とは、下記式で示される計算処理であり、この式に従い元画像データに対する処理を行う。なお、この回折計算処理の概略について図３に示しておく。
【数１】
2013120362.tif 000003
【００２４】
特に、本プログラムでは、上記式中のΔｘ１、Δｘ２を調整することで拡大縮小処理を行うことができる。なお図３からも明らかなように、Δｘ１は元画像のサンプル間隔をいい、Δｘ２は投影画像（位相）のサンプリング間隔をいう。例えば、Δｘ１＜Δｘ２あれば縮小処理となり、Δｘ１＞Δｘ２であれば拡大処理となる。なおΔｘ１＝Δｘ２であれば等倍処理となる。
【００２５】
なお、本プログラムにおいて、シフトフレネル回折計算処理は上記式をそのまま用いてもよいが、処理時間の短縮を図るため高速フーリエ変換を使用できるよう、上記式を下記のように式変形し、使用することもできる。なお、下式において各パラメータは上記式と同じものを表し、Ｆはフーリエ変換を、Ｆ−１は逆フーリエ変換を意味する。
【数２】
2013120362.tif 000004
【００２６】
そして本プログラムでは、上記いずれかの式によりｕ２（ｘ２、ｙ２）を求めるが、この値には複素数（位相と振幅）が含まれるため、そのままでは表示素子２では表示できないためいずれか一方を取り出してホログラムデータとする。本実施形態では表示素子２として空間位相変調素子を採用しているため、位相情報を取り出してホログラムデータとする。
【００２７】
なお、本プログラムでは、上記処理によってホログラムデータを得ることができるが、図２で示すように、位相又は振幅のうち位相成分を用いて逆シフトフレネル回折計算処理を施し、この振幅成分を元画像データに置き換えて再びシフトフレネル回折計算処理を施すこと、更にはこれらの反復計算を複数回行うことが好ましい。これは、本実施形態におけるホログラムデータは振幅情報が失われているのでこのままではスペックルノイズが大きいため、逆シフトフレネル回折計算処理を施し元画像データを得て振幅成分を元画像データに置き換えることで、上記のノイズを徐々に除去し、ホログラムを投下して表示される投影画像の画質を向上させることができる。
【００２８】
以上のとおり、本プログラムによると、拡大又は縮小された投影画像を作成したい場合であっても、元画像データの解像度や画素数等を変更する必要がなくなる。この結果、例え元画像データから拡大投影画像を得たい場合であっても回折計算処理の負担は変わらず、安定した回折計算処理を行うことができるようになる。また、上記のとおり、自由に拡大縮小処理が可能となるため、ズームレンズの拡大縮小性能を考慮しなくてよくなることはもちろん、ズームレンズを設ける必要もなくなり装置の小型化を図ることもできるようになる。
【００２９】
以上、本実施形態によると、ズームレンズ等の画像拡大のための光学素子の数を減らすことが可能となり、しかも拡大縮小における回折計算処理の負担をより軽減できるプロジェクタ装置用のホログラムデータ作成プログラムを提供することができる。
【００３０】
なお、本実施形態では、説明の観点から位相成分を抽出する例について説明したが、同様の処理によって振幅成分を抽出し、表示素子２をこれに適宜変更することによっても同様の効果を達成することができることはいうまでもない。
【実施例】
【００３１】
ここで、上記プログラムにおいて用いたシフトフレネル回折計算処理についてシミュレーション処理を行い、その効果を確認した。以下説明する。
【００３２】
まず、投影画像（スクリーン）とホログラム（表示素子２）の間の距離を０．２ｍ、投影画像（スクリーン）とホログラム（表示素子２）に表示される画像における画像データの画素数をそれぞれ５１２×５１２、表示素子２に入射する光の波長を６３３ｎｍ（赤）、ホログラムデータのサンプリング間隔Δｘ２＝１０μｍとし、元画像のサンプリング間隔Δｘ１を１０μｍから２４μｍまで２μｍ間隔で変えてそれぞれ回折計算処理した。この結果を図４（ａ）〜（ｈ）に示しておく。
【００３３】
この結果、処理に大きな変更、負担なく、拡大処理が可能となっていることを確認した。
【産業上の利用可能性】
【００３４】
本発明は、投影画像表示装置、及びそれに用いられる投影画像作成プログラムとして産業上の利用可能性がある。
【図１】
2013120362.tif 000007
【図２】
2013120362.tif 000008
【図３】
2013120362.tif 000009
【図４】
2013120362.tif 000010